(57)【特許請求の範囲】
【請求項１】
ＡＴＭ網を介してヘッド・オフィスと該ヘッド・オフィスにスター状に収容される複数のブランチ・オフィスを接続するスター・ネットワーク接続システムであって、
該スター・ネットワーク接続システムは、
該ヘッド・オフィスの各々の端末と、
該ヘッド・オフイスの各々の端末を収容するヘッド・オフィス加入者線終端装置と、
該複数のブランチ・オフィスの各々の端末と、
該ブランチ・オフイスの各々の端末を収容するブランチ・オフィス加入者線終端装置と、
ＰＯＮと、
該ＰＯＮを介して該ブランチ・オフィス加入者線終端装置を収容する回線終端装置と、
該ヘッド・オフィス加入者線終端装置及び該回線終端装置を介して該ブランチ・オフィス加入者線終端装置を収容する該ＡＴＭ網と、
で構成し、
上記回線終端装置は、
上記ブランチ・オフィス加入者線終端装置から受信したＡＴＭセル中のＶＰＩ／ＶＣＩを端末側ＶＰＩ／ＶＣＩ格納部に格納すると共に、該端末側ＶＰＩ／ＶＣＩ格納部への格納位置を割り出して上記ＰＯＮ下り宛先識別子としてパディングした上で受信したＡＴＭセルをＡＴＭ交換網に対して送信し、
上記ＡＴＭ交換網から受信したＡＴＭセルにパディングされているＰＯＮ下り宛先識別子を抽出し、該ＰＯＮ下り宛先識別子をキーに宛先となるブランチ・オフィス加入者線終端装置のＶＰＩ／ＶＣＩを抽出する手段を備えたことを特徴とするスター・ネットワーク接続システム。
【請求項２】
請求項１に記載のスター・ネットワーク接続システムであって、
上記ヘッド・オフィス加入者線終端装置は、
ＡＴＭ交換網からＡＴＭセルを受信した時に、当該ＡＴＭセルから回線終端装置がパディングしたＰＯＮ下り宛先識別子と、送信元ＭＡＣアドレスと、受信ポートによって学習テーブルを作成し、端末装置からＭＡＣフレームを受信した時に、当該ＭＡＣフレーム内のＭＡＣアドレスをキーに該学習テーブルに格納されているＰＯＮ下り宛先識別子を抽出し、該ＰＯＮ下り宛先識別子をパディングしてＡＴＭセルをＡＴＭ交換網に対して送信する手段を備えたことを特徴とするスター・ネットワーク接続システム。
【請求項３】
請求項２に記載のスター・ネットワーク接続システムであって、
上記ヘッド・オフィス加入者線終端装置は更に、
同報モード又は宛先ＭＡＣアドレスを未学習の時には、ＰＯＮ下り宛先識別子及びＶＰＩ／ＶＣＩとして特定の値を設定して下りＡＴＭセルを送信する手段を備えたことを特徴とするスター・ネットワーク接続システム。
【請求項４】
請求項１に記載のスター・ネットワーク接続システムであって、
上記回線終端装置は更に、
ＰＯＮ下り宛先識別子が特定の値である時には、特定のＰＯＮ下り宛先識別子対応のＶＰＩ／ＶＣＩを設定してＡＴＭセルをＰＯＮに送信する手段を備えたことを特徴とするスター・ネットワーク接続システム。
【発明の詳細な説明】
【０００１】
【発明の属する技術分野】
本発明は、ＡＴＭ（Asynchronous Transfer Mode）網を介してヘッド・オフィスと該ヘッド・オフィスにスター状に収容される複数のブランチ・オフィスを接続し、該ヘッド・オフィス又は該ブランチ・オフィスに配置されている端末装置間でＭＡＣ（Media Access Control）フレームを一旦ＡＴＭセルに変換して伝送するスター・ネットワーク接続システムに係り、特に、伝送されるＭＡＣフレームが同報フレームの場合や、伝送先のＭＡＣアドレスが未学習である場合に、ＡＴＭ網上の帯域を効率よく使用することができるスター・ネットワーク接続システムに関する。
【０００２】
近年、オフィスや家庭などに設置されているパーソナル・コンピュータ間の伝送や、データベース・サーバとクライアント間の伝送など、コンピュータ間の伝送が盛んに行なわれている。特に、単一のオフィスをヘッド・オフィスとし、残りのオフィスをブランチ・オフィスとして、複数のオフィスをスター状に接続するスター・ネットワーク接続システムが構成される例が増加している。
【０００３】
そして、該スター・ネットワーク接続システムを構成する複数のオフィスは地理的に近傍にあるとは限らず、最も典型的な例では複数の国家に配置されることもある。このような遠隔オフィス間でスター・ネットワーク接続システムを構成するためには、各々のオフィスを公衆網に収容する必要がある。
さて、音声、データ、画像などのマルチメディアの伝送に適した伝送方式としてＡＴＭ方式が実用化されている。上記コンピュータ間の伝送は音声、データ、画像を含むマルチメディア伝送であるケースが多いので、ＡＴＭ網を介して遠隔オフィス間のスター・ネットワーク接続システムを構成するケースが多い。
【０００４】
上記システムにおいて、ヘッド・オフィスから複数のブランチ・オフィスに情報を伝送する場合、同報目的のケースやシングルキャスト・モードであってもヘッド・オフィス側でブランチ・オフィス側の端末のＭＡＣアドレスを未学習のケースには、ブロードキャスト・モード又はマルチキャスト・モードでブランチ・オフィスに設置されている複数の端末に同一の情報が伝送される。この際、ＡＴＭ網上の帯域を効率よく使用できることが肝要である。
【０００５】
【従来の技術】
図１４は、従来の遠隔ＬＡＮ（Local Area Network）間接続の形態（その１）で、ヘッド・オフィスと複数のブランチ・オフィスをポイント・ツー・ポイントに接続するケースを示すものである。
図１４において、１、１ａ及び１ｂはヘッド・オフィスに設置されている端末装置、２はヘッド・オフィスに設置されているヘッド・オフィス加入者線終端装置である。
【０００６】
３はＡＴＭ交換網で、ＡＴＭ交換機３−１、３−２、３−３、３−４、３−５を備えて、図１４の細い実線で示される物理的なネットワークを構成する例を示している。
８はブランチ・オフィスに設置されているブランチ・オフィス加入者線終端装置、９はブランチ・オフィスに設置されている端末装置である。同様に、８ａは他のブランチ・オフィスに設置されているブランチ・オフィス加入者線終端装置、９ａはブランチ・オフィス加入者線終端装置８ａと同じブランチ・オフィスに設置されている端末装置、８ｂは他のブランチ・オフィスに設置されているブランチ・オフィス加入者線終端装置、９ｂはブランチ・オフィス加入者線終端装置８ｂと同じブランチ・オフィスに設置されている端末装置である。尚、図１４ではブランチ・オフィス設置の端末装置を各々のブランチ・オフィスに１つだけ図示しているが、これは図を簡略化するためだけのことであり、一般的には各々のブランチ・オフィスには複数の端末装置が設置される。
【０００７】
そして、ヘッド・オフィス内と各々のブランチ・オフィス内でＬＡＮが構成される。尚、スター状、バス状、リング状などのＬＡＮの形態は何であってもよい。
図１４において、ヘッド・オフィス加入者線終端装置２と、ブランチ・オフィス加入者線終端装置８、８ａ及び８ｂは、オフィス内側にイーサネット（Ethernet）などのＬＡＮインタフェースを持ち、オフィス外側にＡＴＭインタフェースを持っている。そして、ヘッド・オフィス加入者線終端装置２は端末装置１、１ａ及び１ｂが送信するＭＡＣフレームを５３バイト固定長のＡＴＭセルに構築しなおしてＡＴＭ交換網３に送出し、ＡＴＭ交換網３から受信するＡＴＭセルをＭＡＣフレームに構築しなおして宛先の端末装置に送出する機能を持つ。即ち、ヘッド・オフィス加入者線終端装置２、ブランチ・オフィス加入者線終端装置８、８ａ及び８ｂはブリッジ機能を持っている。
【０００８】
尚、ＭＡＣフレームとＡＴＭセルとの関係については後述する。
さて、図１の構成では、ヘッド・オフィス加入者線終端装置２とブランチ・オフィス加入者線終端装置８、８ａ、８ｂは、図１４の太い破線に示す如く、ＡＴＭのポイント・ツー・ポイントのコネクションＣ1 、Ｃ2 、Ｃ3 によって接続されており、各加入者線終端装置は各々のコネクションを１つのブリッジ・ポートとして扱い、ＩＥＥＥ（Institute of Electrical and Electronic Engineering) ８０２．１Ｄの仕様に従ってＭＡＣアドレスによる学習とフォワーディング及びフィルタリングを行なう。
【０００９】
ここで、学習とは、あるポートから受信したＭＡＣフレームの送信元アドレスと、当該ＭＡＣフレームを受信したポートの識別情報（この場合は、ＬＡＮのインタフェース番号である。）を、ＭＡＣフレームを受信する度に当該加入者線終端装置のメモリに格納する機能をいう。即ち、該メモリは当該ＭＡＣアドレスを持つ端末装置が加入者線終端装置のどのポートに接続されているかを示すもので、学習テーブルと呼ぶ。
【００１０】
例えば、図１４のヘッド・オフィス側の端末装置１が、ブランチ・オフィス側の端末装置９のＭＡＣアドレスを宛先としてＭＡＣフレームをヘッド・オフィス加入者線終端装置２に送信すると、ヘッド・オフィス加入者線終端装置２は当該ＭＡＣフレームの中のＭＡＣアドレスと、ヘッド・オフィス加入者線終端装置２内の学習テーブルを比較して、端末装置９がコネクションＣ1 に対応するポートの先に接続されていることを判別できた場合には、当該ＭＡＣフレームをＡＴＭセルに編集してコネクションＣ1 のみに送信する。これがフォワーディングである。
【００１１】
一方、当該ＭＡＣアドレスに対応するポートがヘッド・オフィス加入者線終端装置２が受信したポートである場合には、当該ＭＡＣフレームを転送する必要がないので破棄する。これがフィルタリングである。
そして、ヘッド・オフィス加入者線終端装置２によってＡＴＭセル化された当該ＭＡＣフレームをブランチ・オフィス加入者線終端装置８が受信すると、ブランチ・オフィス加入者線終端装置８内の学習テーブルを参照して宛先ＭＡＣアドレスがＬＡＮ側のインタフェースに接続されている端末装置のＭＡＣアドレスであれば、ＡＴＭセルをＭＡＣフレームに組み立てなおしてＬＡＮを通して端末装置９に送出する。
【００１２】
図１５は、従来のＬＡＮ間接続の形態（その２）で、ヘッド・オフィスと複数のブランチ・オフィスをポイント・ツー・マルチ・ポイントに接続するケースを示すものである。
図１４におけるネットワークのハード構成と図１５におけるネットワークのハード構成は全く同じであるので、構成に関する説明は省略する。
【００１３】
図１５は、ヘッド・オフィスと複数のブランチ・オフィスを固定的なコネクションで接続せずに、ＡＴＭ交換機３−１乃至３−５によって通信の都度ＡＴＭ交換機の出線を選択してヘッド・オフィスとブランチ・オフィスとを接続する形態を示している。
例えば、ヘッド・オフィス加入者線終端装置２はＡＴＭ交換機３−１に収容されており、ブランチ・オフィス加入者線終端装置８はＡＴＭ交換機３−３に収容されており、ブランチ・オフィス加入者線終端装置８ａはＡＴＭ交換機３−４に収容されており、ブランチ・オフィス加入者線終端装置８ｂはＡＴＭ交換機３−５に収容されており、今は、ヘッド・オフィス加入者線終端装置２とブランチ・オフィス加入者線終端装置８はＡＴＭ交換機３−１、ＡＴＭ交換機３−２及びＡＴＭ交換機３−３を経由して接続され、ヘッド・オフィス加入者線終端装置２とブランチ・オフィス加入者線終端装置８ａはＡＴＭ交換機３−１、ＡＴＭ交換機３−２及びＡＴＭ交換機３−４を経由して接続され、ヘッド・オフィス加入者線終端装置２とブランチ・オフィス加入者線終端装置８ｂはＡＴＭ交換機３−１及びＡＴＭ交換機３−５を経由して接続されることを想定している。
【００１４】
この場合にも、シングルキャスト・モードでヘッド・オフィス加入者線終端装置２が端末装置９のＭＡＣアドレスを学習していれば、図１４を用いて説明したのと同様にヘッド・オフィス加入者線終端装置２とブランチ・オフィス加入者線終端装置８の間の伝送が行なわれる。
【００１５】
【発明が解決しようとする課題】
さて、図１４の形態における送信処理において、ヘッド・オフィス加入者線終端装置２の学習テーブルに端末装置９のＭＡＣアドレスが学習されていない場合には、ヘッド・オフィス加入者線終端装置２は当該ＭＡＣフレームを受信したＬＡＮ側のポート以外の全てのポートに当該ＭＡＣフレームを送信する。このケースでは、図１４のコネクションＣ1 、Ｃ2 及びＣ3 に同じＭＡＣフレームをコピーしてＡＴＭ網に送信する。
【００１６】
又、例えば、ヘッド・オフィス側の端末装置１がブロードキャスト・モード又はマルチキャスト・モード（以降、ブロードキャスト・モードとマルチキャスト・モードを同報モードと呼ぶことにする。）を示すＭＡＣアドレスを宛先とするＭＡＣフレームをヘッド・オフィス加入者線終端装置２に送信すると、ヘッド・オフィス加入者線終端装置２は、当該ＭＡＣフレームを受信したＬＡＮ側のポート以外の全てのポートに当該ＭＡＣフレームを送信する。つまり、このケースでも、図１４のコネクションＣ1 、Ｃ2 及びＣ3 に同じＭＡＣフレームをコピーしてＡＴＭ網に送信する。
【００１７】
又、図１５の形態における送信処理において、同報モードの場合又はシングルキャスト・モードで宛先端末装置のＭＡＣアドレスの学習が済んでいない場合には、ＭＡＣフレームを受信したポート以外の全てのポートに当該ＭＡＣフレームを転送するために、ヘッド・オフィス加入者線終端装置２はＡＴＭ交換機３−１に対して当該ＭＡＣフレームを送信し、ＡＴＭ交換機３−１はＡＴＭ交換機３−２側とＡＴＭ交換機３−３側に同じＭＡＣフレームを出力するために当該ＭＡＣフレームをコピーして送信する。そして、ＡＴＭ交換機３−２はＡＴＭ交換機３−３側とＡＴＭ交換機３−４側に同じＭＡＣフレームを出力するために当該ＭＡＣフレームをコピーして送信し、ＡＴＭ交換機３−５は受信したＭＡＣフレームをそのまま送信する。
【００１８】
従って、ヘッド・オフィス加入者線終端装置２とＡＴＭ交換網３の間は１つのＭＡＣフレームが伝送されるだけで済むが、ＡＴＭ交換網３内でコネクションが分岐される度にＭＡＣフレームをコピーして送信しなければならない。
従って、図１４及び図１５の形態においては、同報モードの場合又は宛先ＭＡＣアドレスの学習が済んでいない場合には、ＡＴＭ交換網内の帯域が無駄に使用されるという問題が生ずる。
【００１９】
本発明は、かかる問題点に鑑み、ＡＴＭ網を介してヘッド・オフィスと該ヘッド・オフィスにスター状に収容される複数のブランチ・オフィスを接続し、該ヘッド・オフィス又は該ブランチ・オフィスに配置されている端末装置間でＭＡＣフレームを一旦ＡＴＭセルに変換して伝送するスター・ネットワーク接続システムに関し、伝送されるＭＡＣフレームが同報フレームの場合や、伝送先の端末装置のＭＡＣアドレスが未学習である場合にも、ＡＴＭ網上の帯域を効率よく使用することができるスター・ネットワーク接続システムを提供することを目的とする。
【００２０】
【課題を解決するための手段】
第一の発明は、ＡＴＭ網を介してヘッド・オフィスと該ヘッド・オフィスにスター状に収容される複数のブランチ・オフィスを接続するスター・ネットワーク接続システムである。
該スター・ネットワーク接続システムは、該ヘッド・オフィスの各々の端末と、該ヘッド・オフイスの各々の端末を収容するヘッド・オフィス加入者線終端装置と、該複数のブランチ・オフィスの各々の端末と、該ブランチ・オフイスの各々の端末を収容するブランチ・オフィス加入者線終端装置と、ＰＯＮと、該ＰＯＮを介して該ブランチ・オフィス加入者線終端装置を収容する回線終端装置と、該ヘッド・オフィス加入者線終端装置及び該回線終端装置を介して該ブランチ・オフィス加入者線終端装置を収容する該ＡＴＭ網と、で構成する。
上記回線終端装置は、上記ブランチ・オフィス加入者線終端装置から受信したＡＴＭセル中のＶＰＩ／ＶＣＩを端末側ＶＰＩ／ＶＣＩ格納部に格納すると共に、該端末側ＶＰＩ／ＶＣＩ格納部への格納位置を割り出して上記ＰＯＮ下り宛先識別子としてパディングした上で受信したＡＴＭセルをＡＴＭ交換網に対して送信し、上記ＡＴＭ交換網から受信したＡＴＭセルにパディングされているＰＯＮ下り宛先識別子を抽出し、該ＰＯＮ下り宛先識別子をキーに宛先となるブランチ・オフィス加入者線終端装置のＶＰＩ／ＶＣＩを抽出する手段を備える。
【００２１】
第一の発明によれば、ヘッド・オフィスの各々の端末をヘッド・オフィス加入者線終端装置に収容し、該ヘッド・オフィス加入者線終端装置をＡＴＭ網に収容し、複数のブランチ・オフィスの各々の端末を加入者線終端装置に収容し、該加入者線終端装置をＰＯＮを介して回線終端装置に収容し、該回線終端装置を該ＡＴＭ網に収容するので、ヘッド・オフィス加入者線終端装置から複数のブランチ・オフィス側のブランチ・オフィス加入者線終端装置を見た時に、ヘッド・オフィス側からは単一の回線終端装置が見えるだけであるので、複数のブランチ・オフィスに設置されている端末装置に同報モードで伝送する場合にも、ヘッド・オフィス加入者線終端装置で特定のブランチ・オフィスの特定の端末装置のＭＡＣアドレスを学習していない場合にも、転送すべきＭＡＣフレームを単一の回線終端装置にだけ転送すればよく、ＡＴＭ交換網上の帯域を効率よく使用することができる。
更に、回線終端装置が、ブランチ・オフィス加入者線終端装置から受信したＡＴＭセル中のＶＰＩ／ＶＣＩを端末側ＶＰＩ／ＶＣＩ格納部に格納すると共に、該端末側ＶＰＩ／ＶＣＩ格納部への格納位置を割り出してＰＯＮ下り宛先識別子としてパディングした上で受信したＡＴＭセルをＡＴＭ交換網に対して送信するので、ヘッド・オフィス加入者線終端装置においてＰＯＮ下り宛先識別子と、送信元ＭＡＣアドレスと、受信ポートによって学習テーブルを作成することができ、ＡＴＭ交換網からＡＴＭセルを受信した時には、受信したＡＴＭセル内にパディングされているＰＯＮ下り宛先識別子をキーとして宛先のＶＰＩ／ＶＣＩを求めることができる。
【００２４】
第二の発明は、第一の発明のスター・ネットワーク接続システムであって、上記ヘッド・オフィス加入者線終端装置が、ＡＴＭ交換網からＡＴＭセルを受信した時に、当該ＡＴＭセルから回線終端装置がパディングしたＰＯＮ下り宛先識別子と、送信元ＭＡＣアドレスと、受信ポートによって学習テーブルを作成し、端末装置からＭＡＣフレームを受信した時に、当該ＭＡＣフレーム内のＭＡＣアドレスをキーに該学習テーブルに格納されているＰＯＮ下り宛先識別子を抽出し、該ＰＯＮ下り宛先識別子をパディングしてＡＴＭセルをＡＴＭ交換網に対して送信する手段を備えたことを特徴とするスター・ネットワーク接続システムである。
【００２５】
第二の発明によれば、ヘッド・オフィス加入者線終端装置が、ＡＴＭ交換網から受信したＡＴＭセルから回線終端装置がパディングしたＰＯＮ下り宛先識別子と、送信元ＭＡＣアドレスと、受信ポートによって学習テーブルを作成しておくので、ヘッド・オフィス内の端末装置から受信したＭＡＣフレーム内のＭＡＣアドレスをキーに該学習テーブルに格納されているＰＯＮ下り宛先識別子を抽出し、該ＰＯＮ下り宛先識別子をパディングしてＡＴＭセルをＡＴＭ交換網に対して送信することができる。
【００２６】
第三の発明は、第二の発明のスター・ネットワーク接続システムであって、上記ヘッド・オフィス加入者線終端装置が、同報モード又は宛先ＭＡＣアドレスを未学習の時には、ＰＯＮ下り宛先識別子及びＶＰＩ／ＶＣＩとして特定の値を設定して下りＡＴＭセルを送信する手段を備えたことを特徴とするスター・ネットワーク接続システムである。
【００２７】
第三の発明によれば、ヘッド・オフィス加入者線終端装置が、同報モード又は宛先ＭＡＣアドレスを未学習の時には、ＰＯＮ下り宛先識別子及びＶＰＩ／ＶＣＩとして特定の値を設定して回線終端装置宛に下りＡＴＭセルを送信する手段を備えたので、同報モード又は宛先ＭＡＣアドレスを未学習の時にもＡＴＭ交換網上の帯域を無駄に使用することがない。
【００２８】
第四の発明は、第一の発明のスター・ネットワーク接続システムであって、上記回線終端装置が、ＰＯＮ下り宛先識別子が特定の値である時には、特定のＰＯＮ下り宛先識別子対応のＶＰＩ／ＶＣＩを設定してＡＴＭセルをＰＯＮに送信する手段を備えたことを特徴とするスター・ネットワーク接続システムである。
第四の発明によれば、回線終端装置は、ＰＯＮ下り宛先識別子が特定の値である時には、特定のＰＯＮ下り宛先識別子対応のＶＰＩ／ＶＣＩを設定してＡＴＭセルをＰＯＮに送信する手段を備えたので、配下の全てのブランチ・オフィス加入者線終端装置にＡＴＭセルを送信することができる。
【００２９】
【発明の実施の形態】
以降、図面も用いて本発明の技術を詳細に説明する。
図１は、本発明のスター・ネットワーク接続システムの構成である。
図１において、１、１ａ及び１ｂはヘッド・オフィスに設置されている端末装置、２はヘッド・オフィスに設置されているヘッド・オフィス加入者線終端装置である。
【００３０】
３はＡＴＭ交換網である。尚、本発明にとってＡＴＭ交換網３の具体的構成は本質的ではないので、図１では、ＡＴＭ交換網３の具体的な構成の図示を省略して、ＡＴＭ交換網３が１つのＡＴＭ交換機であるが如く図示している。
４は回線終端装置である。
８はブランチ・オフィスに設置されているブランチ・オフィス加入者線終端装置、９はブランチ・オフィスに設置されている端末装置である。同様に、８ａは他のブランチ・オフィスに設置されているブランチ・オフィス加入者線終端装置、９ａはブランチ・オフィス加入者線終端装置８ａと同じブランチ・オフィスに設置されている端末装置、８ｂは他のブランチ・オフィスに設置されているブランチ・オフィス加入者線終端装置、９ｂはブランチ・オフィス加入者線終端装置８ｂと同じブランチ・オフィスに設置されている端末装置である。尚、図１４ではブランチ・オフィス設置の端末装置を各々のブランチ・オフィスに１つだけ図示しているが、これは図を簡略化するためだけのことであり、一般的には各々のブランチ・オフィスには複数の端末装置が設置される。
【００３１】
そして、ヘッド・オフィス内と各々のブランチ・オフィス内でＬＡＮが構成される。ここで、ＬＡＮの形態はスター状、バス状、リング状など何であってもよい。尚、最も簡易な構成を示すために、端末装置はブランチ・オフィス毎にブランチ・オフィス加入者線終端装置に収容される例を示しているが、ブランチ・オフィス加入者線終端装置は複数のブランチ・オフィスの端末装置を収容することもできる。
【００３２】
７、７ａ及び７ｂは、各々、ブランチ・オフィス加入者線終端装置８、８ａ、及び８ｂに接続されるブランチ・オフィス側のＰＯＮインタフェース、６、６ａ及び６ｂはパッシブな分岐装置、５、５ａ及び５ｂは回線終端装置４に接続されるＰＯＮインタフェースである。そして、ＰＯＮインタフェース７、７ａ及び７ｂとパッシブ分岐装置６の間は光ファイバによって成る伝送路で接続され、パッシブ分岐装置６とＰＯＮインタフェース５の間も光ファイバによって成る伝送路で接続される。即ち、ＰＯＮはＰＯＮインタフェース５、パッシブ分岐装置６、ＰＯＮインタフェース７、７ａ及び７ｂと、光ファイバ伝送路によって構成される。尚、ＰＯＮはトランスペアレントな伝送システムであって、ＰＯＮインタフェース５、パッシブ分岐装置６及びＰＯＮインタフェース７の具体的な構成は本発明の本質とは無関係なので、ＰＯＮインタフェース５、パッシブ分岐装置６及びＰＯＮインタフェース７の具体的な構成の説明は割愛する。
【００３３】
図２は、ブランチ・オフィス加入者線終端装置の構成である。
図２において、８−１は端末装置側から送られてくるＭＡＣフレームを受信するＭＡＣフレーム受信部、８−２は該ＭＡＣフレーム受信部８−１が正しく受信したＭＡＣフレームをＲＦＣ２６８４仕様によってカプセリングし、ＲＦＣ２６８４カプセリングしたフレームをＡＡＬ（ATM Adaptation Layer）５フレームに構築するＡＡＬ５フレーム作成部、８−３は、ＰＯＮ側のバーチャル・パスとバーチャル・チャネルを示すＶＰＩ・ＶＣＩを予め格納しているＰＯＮ側ＶＰＩ／ＶＣＩ格納部（図では「ＰＯＮ側ＶＰＩ格納部」と略記している。以降も、図では「ＶＰＩ／ＶＣＩ」を単に「ＶＰＩ」と記載する。）、８−４はＰＯＮ側ＶＰＩ／ＶＣＩ格納部８−３から読み出したＶＰＩ／ＶＣＩをＡＴＭセルのヘッダに設定してＡＡＬ５フレームをＡＴＭセルに編集するＡＴＭセル編集部、８−５はＡＴＭセル編集部８−４が編集したＡＴＭセルをＰＯＮを経由して回線終端装置に送信するＡＴＭセル送信部である。
【００３４】
又、８−６はＰＯＮを経由して回線終端装置からＡＴＭセルを受信するＡＴＭセル受信部、８−７は自己のＶＰＩ／ＶＣＩを格納している受信可ＶＰＩ／ＶＣＩ格納部、８−８は受信したＡＴＭセルのヘッダに設定されているＶＰＩ／ＶＣＩが受信可ＶＰＩ／ＶＣＩ格納部８−７から読み出したＶＰＩ／ＶＣＩとの比較を行ない、両者が一致しない場合には受信したＡＴＭセルを廃棄するフィルタリング処理部（図では「フィルタ処理部」と略記している。以降も、図では同様に記載する。）、８−９はフィルタリング処理部８−８で廃棄されなかったＡＴＭセルからＭＡＣフレームに抽出するＭＡＣフレーム抽出部、８−１０はＭＡＣフレーム抽出部８−９が抽出したＭＡＣフレームを端末装置側に送信するＭＡＣフレーム送信部である。
【００３５】
そして、図２のブランチ・オフィス加入者線終端装置の構成及び機能は、従来のブランチ・オフィス加入者線終端装置の構成及び機能と同じである。
図３は、本発明の回線終端装置の構成である。
図３において、４−１はＰＯＮを経由してブランチ・オフィス加入者線終端装置が送信してくるＡＴＭセルを受信するＡＴＭセル受信部、４−２はＡＴＭセル受信部４−１が受信したＡＴＭセルからブランチ・オフィス加入者線終端装置のＶＰＩ／ＶＣＩを抽出して格納すると共に、ＰＯＮ下り宛先識別子として格納したＶＰＩ／ＶＣＩの格納位置を割り出す端末側ＶＰＩ／ＶＣＩ抽出部、４−３は端末側ＶＰＩ／ＶＣＩ抽出部４−２が抽出したＶＰＩ／ＶＣＩを格納する端末側ＶＰＩ／ＶＣＩ格納部、４−４はＡＴＭ交換網側のバーチャル・パスとバーチャル・チャネルを示すＶＰＩ／ＶＣＩを予め格納しているＡＴＭ側ＶＰＩ／ＶＣＩ格納部、４−５はＡＴＭセル受信部４−１が受信したＡＴＭセルに、端末側ＶＰＩ／ＶＣＩ抽出部４−２が抽出したＰＯＮ下り宛先識別子をパディングすると共に、ＡＴＭ側ＶＰＩ／ＶＣＩ格納部４−４から読み出したＶＰＩ／ＶＣＩをＡＴＭセルのヘッダに設定するＡＴＭセル編集部、４−６はＡＴＭセル編集部が出力するＡＴＭセルをＡＴＭ交換網を介してヘッド・オフィス加入者線終端装置に送信するＡＴＭセル送信部である。
【００３６】
又、４−７はＡＴＭ交換網を介してヘッド・オフィス加入者線終端装置からＡＴＭセルを受信するＡＴＭセル受信部、４−８は受信したＡＴＭセルにパディングされているＰＯＮ下り宛先識別子をキーとして端末側ＶＰＩ／ＶＣＩ格納部からブランチ・オフィス加入者線終端装置のＶＰＩ／ＶＣＩを読み出す端末側ＶＰＩ／ＶＣＩ決定部、４−９はＡＴＭセル受信部４−７が受信したＡＴＭセルのヘッダに端末側ＶＰＩ／ＶＣＩ決定部４−８が決定したブランチ・オフィス加入者線終端装置のＶＰＩ／ＶＣＩを設定するセル・ヘッダ設定部、４−１０はセル・ヘッダ設定部４−９が出力するＡＴＭセルをＰＯＮを介してブランチ・オフィス加入者線終端装置に送信するＡＴＭセル送信部である。
【００３７】
図３の構成の特徴は、端末側ＶＰＩ／ＶＣＩ抽出部４−２がブランチ・オフィス加入者線終端装置のＶＰＩ／ＶＣＩを抽出して端末側ＶＰＩ／ＶＣＩ格納部４−３に格納するだけではなく、該ブランチ・オフィス加入者線終端装置のＶＰＩ／ＶＣＩを格納した位置を割り出してＰＯＮ下り宛先識別子としてパディングしてＡＴＭセルをＡＴＭ交換網を経由してヘッド・オフィス加入者線終端装置に送信することと、端末側ＶＰＩ／ＶＣＩ決定部４−８が受信したＡＴＭセルにパディングされているＰＯＮ下り宛先識別子をキーとして端末側ＶＰＩ／ＶＣＩ格納部４−３からブランチ・オフィス加入者線終端装置のＶＰＩ／ＶＣＩを読み出して、セル・ヘッダ設定部４−９においてＡＴＭセルのヘッダに設定してブランチ・オフィス加入者線終端装置に送信することにある。
【００３８】
尚、端末側ＶＰＩ／ＶＣＩ格納部の格納内容を図５に例示している。
図４は、本発明のヘッド・オフィス加入者線終端装置の構成である。
図４において、２−１はＡＴＭ交換網を経由して回線終端装置からＡＴＭセルを受信するＡＴＭセル受信部、２−２は自己のＶＰＩ／ＶＣＩを格納している受信可ＶＰＩ／ＶＣＩ格納部、２−３は受信したＡＴＭセルのヘッダに設定されているＶＰＩ／ＶＣＩと受信可ＶＰＩ格納部２−２から読み出したＶＰＩ／ＶＣＩとの比較を行ない、両者が一致しない場合には受信したＡＴＭセルを廃棄するフィルタリング処理部、２−４はフィルタリング処理部２−３で廃棄されなかったＡＴＭセルからＭＡＣフレームを抽出すると共に、送信元端末装置のＭＡＣアドレス、受信ポート及びＰＯＮ下り宛先識別子を学習テーブルに格納するＭＡＣフレーム抽出部、２−５は送信元端末装置のＭＡＣアドレス、受信ポート及びＰＯＮ下り宛先識別子を格納する学習テーブル、２−６はＭＡＣフレーム抽出部２−４が抽出したＭＡＣフレームを端末装置側に送信するＭＡＣフレーム送信部である。
【００３９】
又、２−７は端末装置側からのＭＡＣフレームを受信するＭＡＣフレーム受信部、２−８はＭＡＣフレーム受信部２−７が出力するＭＡＣフレームに設定されている宛先のＭＡＣアドレスをキーに学習テーブル２−５からＰＯＮ下り宛先識別子を取り出してＡＡＬ５フレームを構築するＡＡＬ５フレーム作成部、２−９はＡＡＬ５フレーム作成部２−８が出力するＡＡＬ５フレームをＡＴＭセルに編集するＡＴＭセル編集部、２−１０はＡＴＭセル編集部２−９が出力するＡＴＭセルをＡＴＭ交換網を経由して回線終端装置に送信するＡＴＭセル送信部である。
【００４０】
図４の構成の特徴は、ＭＡＣフレーム抽出部２−４が、フィルタリング処理部２−３で廃棄されなかったＡＴＭセルからＭＡＣフレームを抽出するだけでなく、送信元端末装置のＭＡＣアドレス、受信ポート及びＰＯＮ下り宛先識別子を学習テーブル２−５に格納することと、ＡＡＬ５フレーム作成部が宛先ＭＡＣアドレスをキーに学習テーブル２−５からＰＯＮ下り宛先識別子を求めてＡＡＬ５フレームにパディングすることにある。
【００４１】
尚、学習テーブルの例を図６に示している。
以上、ブランチ・オフィス加入者線終端装置の構成、回線終端装置の構成と特徴及びヘッド・オフィス加入者線終端装置の構成と特徴を説明したので、以降、ブランチ・オフィス加入者線終端装置の処理、回線終端装置の処理及びヘッド・オフィス加入者線終端装置の処理をフローチャートを用いて詳細に説明する。
【００４２】
図７は、ブランチ・オフィス加入者線終端装置の上りＭＡＣフレームの処理を示すフローチャートである。以降、図７の符号に沿ってブランチ・オフィス加入者線終端装置の上りＡＴＭセルの処理を説明する。
Ｓ１．ＭＡＣフレーム受信部は、端末装置からＭＡＣフレームを受信したか否か監視している。
【００４３】
ＭＡＣフレームを受信しなかった場合（Ｎｏ）には上記監視を継続する。
Ｓ２．ステップＳ１で、端末装置からＭＡＣフレームを受信した場合（Ｙｅｓ）には、ＭＡＣフレーム受信部は受信したＭＡＣフレームが正しく受信できたか否か判定する。
上記判定は、ＭＡＣフレームの末尾に挿入されているＣＲＣ（Cyclic Redundancy Check)ビット以外のビットに対してＣＲＣ演算を行ない、ＭＡＣフレームの末尾に挿入されているＣＲＣビットとの比較を行なって、一致すれば正常に受信したと判定し、一致しなければ正常には受信できなかったと判定すればよい。
【００４４】
Ｓ３．ステップＳ２で、受信したＭＡＣフレームが正しく受信できなかった場合（Ｎｏ）には、受信したＭＡＣフレームを廃棄してステップＳ１にジャンプする。
さて、ステップＳ２で、受信したＭＡＣフレームが正しく受信できた場合（Ｙｅｓ）には、受信したＭＡＣフレームを最終的にＡＴＭセルに編集して送信するが、ここで、ＭＡＣフレームとＡＴＭセルとの関係について簡単に説明しておく。
【００４５】
図１３は、ＭＡＣフレームとＡＴＭセルの関係を示す図である。
図１３において、（１）は、ＭＡＣフレームである。ＭＡＣフレームの詳細は図示しないが、上記の如く、ＭＡＣフレームの末尾にＣＲＣビットが挿入されており、又、ＭＡＣフレームのヘッダ部には送信元のＭＡＣアドレスと宛先ＭＡＣアドレスが設定されている。
【００４６】
（２）は、ＲＦＣ２６８４のカプセリングをしたＭＡＣフレームである。元のＭＡＣフレームに対して、３バイトのＬＬＣ（Logical Link Control) ヘッダと、３バイトのＯＵＩ（Organization Unique Identifier) と、２バイトのＰＩＤ（Protocol Identifier)と、２バイトのＰＡＤ（Padding)が付加される。
（３）は、ＡＡＬ５フレームである。ＲＦＣ２６８４のカプセリングを行なわれたＭＡＣフレームがＡＡＬ５ペイロードとなり、０〜４７バイトのＰＡＤとＣＰＣＳ−ＰＤＵ（Common Part Convergence Sublayer-Protocol Data Unit)トレイラが付加される。尚、ＣＰＣＳ−ＰＤＵトレイラにはＣＲＣビットが挿入される。
【００４７】
（４）は、ＡＴＭセルである。ＡＴＭセルに編集するには、ＡＡＬ５フレームを順次４８バイトずつに区切り、各々の４８バイトの単位に５バイトのヘッダを付加して５３バイト固定長のＡＴＭセルを順次構築してゆけばよい。
引続き、図７のフローチャートの説明を行なう。
Ｓ４．ステップＳ２で、受信したＭＡＣフレームが正しく受信できた場合（Ｙｅｓ）には、ＡＡＬ５フレーム作成部は受信したＭＡＣフレームにＲＦＣ２６８４のカプセリングを行ない、
Ｓ５．更に、ＰＡＤとＣＰＣＳ−ＰＤＵトレイラを付加してＡＡＬ５フレームを作成する。
【００４８】
Ｓ６．ＡＴＭセル編集部は、ＡＡＬ５フレームを４８バイトずつ分解してＡＴＭセルのペイロード部を作成し、
Ｓ７．ＰＯＮ側ＶＰＩ／ＶＣＩ格納部に予め設定されていた、回線終端装置を示すＶＰＩ／ＶＣＩであるＰＯＮ側ＶＰＩ／ＶＣＩを読み出して、
Ｓ８．ＡＴＭセルのヘッダ部を作成する。
【００４９】
Ｓ９．ＡＴＭセル送信部は、ステップＳ８で作成されたＡＴＭセルを、回線終端装置宛にＰＯＮに送信して、一連の処理を終了する。
尚、実際には、ステップＳ９の処理が終了したらステップＳ１にジャンプして上りＡＴＭセルの処理を継続するが、ここでは、正常に受信したＭＡＣフレームをＡＴＭセルに編集して送信した時点で一旦処理を終了するものとして説明した。この表現は、以降のフローチャートでも同じである。
【００５０】
図８は、回線終端装置の上りＡＴＭセルの処理を示すフローチャートである。以降、図８の符号に沿って回線終端装置の上りＡＴＭセルの処理を説明する。
Ｓ１１．ＡＴＭセル受信部は、ブランチ・オフィス加入者線終端装置からＡＴＭセルを受信したか否か監視している。
ブランチ・オフィス加入者線終端装置からＡＴＭセルを受信しなかった場合（Ｎｏ）には、上記監視を継続する。
【００５１】
Ｓ１２．ＡＴＭセル受信部は、受信したＡＴＭセルは正常に受信できたか否か判定する。
上記判定は、ＡＴＭセルのヘッダに対して行なうＨＥＣ（Hedder Error Control) 演算と、ＡＡＬ５フレームのＣＰＣＳ−ＰＤＵトレイラに挿入されたＣＲＣビットを使用してＣＲＣチェックを行なうことによって実施できる。
【００５２】
Ｓ１３．ステップＳ１２で、受信したＡＴＭセルは正常に受信できなかった場合（Ｎｏ）には、受信したＡＴＭセルを廃棄してステップＳ１１にジャンプする。
Ｓ１４．ステップＳ１２で、受信したＡＴＭセルは正常に受信できた場合（Ｙｅｓ）には、ＡＴＭセル受信部は、以降の処理時間待ちのために受信したＡＴＭセルを一時格納し、順次読み出す。
【００５３】
Ｓ１５．端末側ＶＰＩ／ＶＣＩ抽出部は、読み出したＡＴＭセルは先頭のＡＴＭセルであるか否か判定する。
上記判定は、ＡＴＭセルのヘッダ部にあるＰＴ（Payload Type) の値を見ることによって可能である。即ち、ＰＴが０で最初に受信したＡＴＭセルが先頭のＡＴＭセルで、ＰＴが０でそれ以外のＡＴＭセルが後続のＡＴＭセルで、ＰＴが１のＡＴＭセルが最終のＡＴＭセルである。
【００５４】
Ｓ１６．ステップＳ１５で、読み出したＡＴＭセルが先頭であった場合（Ｙｅｓ）には、端末側ＶＰＩ／ＶＣＩ抽出部は、ＡＴＭセルのヘッダに設定されているＶＰＩ／ＶＣＩを端末側ＶＰＩ／ＶＣＩ格納部に格納すると共に、
Ｓ１７．ＶＰＩ／ＶＣＩを端末側ＶＰＩ／ＶＣＩ格納部に格納した位置をＰＯＮ下り宛先識別子として割り出す。
【００５５】
Ｓ１８．ＡＴＭセル編集部は、ステップＳ１７で割り出したＰＯＮ下り宛先識別子を、先頭のＡＴＭセルのペイロードの、ＡＡＬ５フレームにおけるＲＦＣ２６８４ヘッダ内のＰＡＤに該当する位置にパディングする。
Ｓ１９．ステップＳ１８の処理が終了した後、又は、ステップＳ１５で、先頭のＡＴＭセルではないと判定した場合（Ｎｏ）に、ＡＴＭセル編集部は、ＡＴＭ側ＶＰＩ／ＶＣＩ格納部に格納されているＶＰＩ／ＶＣＩをＡＴＭセルのヘッダ部に上書きする。
【００５６】
Ｓ２０．ＡＴＭセル送信部は、ステップＳ１９で編集されたＡＴＭセルをＡＴＭ交換網に送信する。
Ｓ２１．ＡＴＭセル編集部は、全てのＡＴＭセルを編集して送信したか否か判定する。
上記判定は、ＰＴが１のＡＴＭセルを編集して送信したか否かを判定することで可能である。
【００５７】
全てのＡＴＭセルを送信していない場合（Ｎｏ）には、ステップＳ１４にジャンプして、格納されているＡＴＭセルを読み出して以降の処理を行なう。
一方、全てのＡＴＭセルを送信した場合（Ｙｅｓ）には、一連の処理を終了する。
図９は、ヘッド・オフィス加入者線終端装置の上りＡＴＭセルの処理を示すフローチャートである。以降、図９の符号に沿ってヘッド・オフィス加入者線終端装置の上りＭＡＣフレームの処理を説明する。
【００５８】
Ｓ３１．ＡＴＭセル受信部は、ＡＴＭ交換網を経由して、回線終端装置からＡＴＭセルを受信したか否か監視している。
回線終端装置からＡＴＭセルを受信しなかった場合（Ｎｏ）には、上記監視を継続する。
Ｓ３２．ステップＳ３１で、ＡＴＭセルを受信した場合（Ｙｅｓ）には、ＡＴＭセル受信部は、受信したＡＴＭセルは正常に受信されたか否か判定する。
【００５９】
上記判定は、図８のステップＳ１２のところで説明したのと同様にして行なうことができる。
Ｓ３３．ステップＳ３２で、ＡＴＭセルが正常に受信されなかった場合（Ｎｏ）には、ＡＴＭセルを廃棄してステップＳ３１にジャンプする。
Ｓ３４．ステップＳ３２で、ＡＴＭセルが正常に受信された場合には、フィルタリング処理部は、受信可ＶＰＩ／ＶＣＩ格納部を参照して当該ＡＴＭセルを受信してよいか否か判定する。
【００６０】
当該ＡＴＭセルを受信してはならない場合（Ｎｏ）には、ステップＳ３１にジャンプする。
Ｓ３５．ステップＳ３４で、当該ＡＴＭセルを受信してよい場合（Ｙｅｓ）には、ＡＡＬ５フレーム作成部は、ＡＴＭセルのヘッダ部を取り除いてＡＡＬ５フレームを組み立て、
Ｓ３６．ステップＳ３５で組み立てたＡＡＬ５フレームからＭＡＣフレームを抽出し、
Ｓ３７．送信元ＭＡＣアドレス、受信ポート、ＰＯＮ下り宛先識別子を学習テーブルに格納する。
【００６１】
Ｓ３８．ＭＡＣフレーム送信部は、ステップＳ３６で抽出したＭＡＣフレームを宛先の端末装置に送信して一連の処理を終了する。
図１０は、ヘッド・オフィス加入者線終端装置の下りＭＡＣフレームの処理を示すフローチャートである。以降、図１０の符号に沿ってヘッド・オフィス加入者線終端装置の下りＭＡＣフレームの処理を説明する。
【００６２】
Ｓ４１．ＭＡＣフレーム受信部は、端末装置からＭＡＣフレームを受信したか否か監視している。
端末装置からＭＡＣフレームを受信しない場合（Ｎｏ）には、上記監視を継続する。
Ｓ４２．端末装置からＭＡＣフレームを受信した場合（Ｙｅｓ）には、受信したＭＡＣフレームが正常であるか否か判定する。
【００６３】
上記判定は、既述の通りに行なえばよい。
Ｓ４３．ステップＳ４２で、受信したＭＡＣフレームが正常でないと判定した場合（Ｎｏ）には、ＭＡＣフレーム受信部は、受信したＭＡＣフレームを廃棄してステップＳ４１にジャンプする。
Ｓ４４．ステップＳ４２で、受信したＭＡＣフレームが正常であると判断した場合（Ｙｅｓ）には、ＡＡＬ５フレーム作成部が、受信したＭＡＣフレームは同報フレームであるか否か判定する。
【００６４】
上記判定は、宛先ＭＡＣアドレスに同報を示す特定のアドレスが設定されているか否かによって可能である。
Ｓ４５．ステップＳ４で、受信したＭＡＣフレームが同報フレームでないと判定した場合（Ｎｏ）には、更にＡＡＬ５フレーム作成部は、宛先ＭＡＣアドレスが学習済のＭＡＣアドレスであるか否か判定する。
【００６５】
上記判定は、学習テーブル内で宛先ＭＡＣアドレスを検索して、該宛先ＭＡＣアドレスが書き込まれているか否かによって実施することができる。
Ｓ４６．ステップＳ４５で、宛先ＭＡＣアドレスが学習済のＭＡＣアドレスであると判定した場合（Ｙｅｓ）には、学習テーブルを宛先ＭＡＣアドレスをキーに検索して、
Ｓ４７．受信ポート番号とＰＯＮ下り宛先識別子を取り出す。
【００６６】
Ｓ４８．ＡＡＬ５フレーム作成部は、ステップＳ４６で取り出したＰＯＮ下り宛先識別子をＲＦＣ２６８４ヘッダのＰＡＤにパディングすると共に、受信ポート番号を設定してＡＡＬ５フレームを組み立てる。
Ｓ４９．一方、ステップＳ４４で同報フレームであると判定された場合（Ｙｅｓ）と、ステップＳ４５で、宛先ＭＡＣアドレスが学習済でないと判定された場合（Ｎｏ）には、特定のＰＯＮ下り宛先識別子をＲＦＣ２６８４ヘッダのＰＡＤにパディングすると共に、受信ポート番号を設定してＡＡＬ５フレームを組み立てる。
【００６７】
Ｓ５０．ステップＳ４８の処理又とステップＳ４９の処理が終了したら、ＡＴＭセル編集部は、受信ポートに対応するＶＰＩ／ＶＣＩを設定してＡＴＭセルを編集し、ＡＴＭセル送信部が編集したＡＴＭセルを送信する。
Ｓ５１．ＡＴＭセル編集部は、ＡＡＬ５フレームを全てＡＴＭセルに編集したか否か判定する。
【００６８】
上記判定は、ＡＴＭセル編集部に付属する、ＡＡＬ５フレームを一時格納するＡＡＬ５格納部に未編集のフレームが残っているか否かによって実施することができる。
ＡＡＬ５フレームを全てＡＴＭセルに編集していない場合（Ｎｏ）には、ステップＳ５０にジャンプして、ＡＡＬ５フレームを全てＡＴＭセルに編集するまでステップＳ５０、ステップＳ５１の処理を継続する。
【００６９】
そして、最終的に、ＡＡＬ５フレームを全てＡＴＭセルに編集した場合（Ｙｅｓ）に、一連の処理を終了する。
図１１は、回線終端装置の下りＡＴＭセルの処理を示すフローチャートである。以降、図１１の符号に沿って回線終端装置の下りＡＴＭセルの処理を説明する。
【００７０】
Ｓ６１．ＡＴＭセル受信部は、ヘッド・オフィス加入者線終端装置からＡＴＭセルを受信したか否か監視している。
ＡＴＭセルを受信しなかった場合（Ｎｏ）には、上記監視を継続する。
Ｓ６２．ステップＳ６１で、ＡＴＭセルを受信した場合（Ｙｅｓ）には、受信したＡＴＭセルは正常か否か判定する。
【００７１】
上記判定は、既述の通りに行なえばよい。
Ｓ６３．ステップＳ６２で、受信したＡＴＭセルは正常でないと判定した場合（Ｎｏ）には、受信したＡＴＭセルを廃棄してステップＳ６１にジャンプする。
Ｓ６４．ステップＳ２で、受信したＡＴＭセルは正常であると判定した場合（Ｙｅｓ）には、受信したＡＴＭセルを一時格納し、端末側ＶＰＩ／ＶＣＩ決定部は、一時格納したＡＴＭセルを順次読み出す。
【００７２】
Ｓ６５．端末側ＶＰＩ／ＶＣＩ決定部は、読み出したＡＴＭセルが先頭のＡＴＭセルか否か判定する。
上記判定は、既述の通りに行なえばよい。
Ｓ６６．ステップＳ６５で、読み出したＡＴＭセルが先頭のＡＴＭセルであると判定した場合（Ｙｅｓ）には、端末側ＶＰＩ／ＶＣＩ決定部は、ＡＴＭセルのペイロードのＲＦＣ２６８４ヘッダのＰＡＤに該当する位置からＰＯＮ下り宛先識別子を取り出す。
【００７３】
Ｓ６７．端末側ＶＰＩ／ＶＣＩ決定部は、ＰＯＮ下り宛先識別子が同報であること又は宛先ＭＡＣアドレスが未学習であることを示す特定の値であるか否か判定する。
Ｓ６８．ステップＳ６７で、ＰＯＮ下り宛先識別子が特定な値でないと判定した場合（Ｎｏ）には、端末側ＶＰＩ／ＶＣＩ決定部は、ＰＯＮ下り宛先識別子をキーとして、ブランチ・オフィス加入者線終端装置に至るバーチャル・パスとバーチャル・チャネルのＶＰＩ／ＶＣＩを抽出して、ＰＯＮ下り宛先識別子と共にセル・ヘッダ設定部に渡す。
【００７４】
Ｓ６９．一方、ステップＳ６７で、ＰＯＮ下り宛先識別子が特定な値であると判定した場合（Ｙｅｓ）には、端末側ＶＰＩ／ＶＣＩ決定部は、特定のＰＯＮ下り宛先識別子に対応するＶＰＩ／ＶＣＩを抽出して、特定のＰＯＮ下り宛先識別子と共にセル・ヘッダ設定部に渡す。
Ｓ７０．セル・ヘッダ設定部は、ステップＳ６８又はステップＳ６９で抽出されたＶＰＩ／ＶＣＩをＡＴＭセルのセル・ヘッダに設定（上書き）してＡＴＭセル送信部に渡す。
【００７５】
Ｓ７１．ＡＴＭセル送信部は、ステップＳ７０で受けたＡＴＭセルをＰＯＮに送信する。
Ｓ７２．セル・ヘッダ設定部は、全てのＡＴＭセルを処理したか否か判定する。
全てのＡＴＭセルを処理していない場合（Ｎｏ）には、ステップＳ６４にジャンプして、各部は以降の処理を継続する。
【００７６】
一方、全てのＡＴＭセルを処理した場合（Ｙｅｓ）には、一連の処理を終了する。
尚、図１１に示したフローチャートでは、ステップＳ６７においてＰＯＮ下り宛先識別子が特定な値であるか否か判定して、ステップＳ６８とステップＳ６９とに処理を分岐しているが、特定な値のＰＯＮ管宛先識別子も含めて端末側ＶＰＩ／ＶＣＩ格納部を作成しておけば、ステップＳ６７とステップＳ６９は不要になる。
【００７７】
図１２は、ブランチ・オフィス加入者線終端装置の下りＡＴＭセルの処理を示すフローチャートである。以降、図１２の符号に沿ってブランチ・オフィス加入者線終端装置の下りＡＴＭセルの処理を説明する。
Ｓ８１．図２のＡＴＭセル受信部８−６は、ＰＯＮを経由して回線終端装置からＡＴＭセルを受信したか否か監視している。
【００７８】
ＡＴＭセルを受信しなかった場合（Ｎｏ）には、上記監視を継続する。
Ｓ８２．ステップＳ８１で、ＡＴＭセルを受信した場合（Ｙｅｓ）には、ＡＴＭセル受信部８−６は、受信したＡＴＭセルが正常であったか否か判定する。
上記判定は、既述の通りにすればよい。
Ｓ８３．ステップＳ８２で、受信したＡＴＭセルが正常でなかった場合（Ｎｏ）には、ステップＳ８１にジャンプする。
【００７９】
Ｓ８４．ステップＳ８２で、受信したＡＴＭセルが正常であった場合（Ｙｅｓ）には、フィルタリング処理部８−８は、受信したＡＴＭセルのヘッダからＶＰＩ／ＶＣＩを取り出して、
Ｓ８５．同報であること又は未学習であることを示す特定のＶＰＩ／ＶＣＩであるか否か判定する。
【００８０】
Ｓ８６．ステップＳ８５で、特定のＶＰＩ／ＶＣＩでないと判定した場合（Ｎｏ）には、フィルタリング処理部８−８は、自己宛のＶＰＩ／ＶＣＩであるか否か判定する。
自己宛のＶＰＩ／ＶＣＩでないと判定した場合（Ｎｏ）には、ステップＳ８３にジャンプする。
【００８１】
Ｓ８７．ステップＳ８６で、自己宛のＶＰＩ／ＶＣＩであると判定した場合（Ｙｅｓ）には、フィルタリング処理部８−８は受信したＡＴＭセルをＭＡＣフレーム抽出部８−９に渡し、ＭＡＣフレーム抽出部８−９は、受信したＡＴＭセルからＡＡＬ５フレームを組み立て、
Ｓ８８．ＡＡＬ５フレームからＲＦＣ２６８４ヘッダを除去してＭＡＣフレームを抽出して、ＭＡＣフレーム送信部８−１０に渡す。
【００８２】
Ｓ８９．ＭＡＣフレーム送信部８−１０は、ＭＡＣフレーム抽出部から受けたＭＡＣフレームを宛先ＭＡＣアドレスを参照して端末装置に送信する。
尚、図１２では、ステップＳ８５において受信したＶＰＩ／ＶＣＩが特定のＶＰＩ／ＶＣＩであるか否かを判定して処理を分岐しているが、特定のＶＰＩ／ＶＣＩも自己宛のＶＰＩ／ＶＣＩと同様に受信可ＶＰＩ／ＶＣＩ格納部に格納しておけば、ステップＳ８５は不要になる。
【００８３】
以上の如く、本発明の回線終端装置が、ブランチ・オフィス加入者線終端装置から受信したＡＴＭセルからブランチ・オフィス加入者線終端装置のＶＰＩ／ＶＣＩを抽出して端末側ＶＰＩ／ＶＣＩ格納部に格納すると共に、ＰＯＮ下り宛先識別子としてブランチ・オフィス加入者線終端装置のＶＰＩ／ＶＣＩの格納位置を割り出して、該ＰＯＮ下り宛先識別子を上りＡＴＭセルに設定して送信し、ヘッド・オフィス加入者線終端装置が、受信したＰＯＮ下り宛先識別子、発信元のＭＡＣアドレス及び受信ポート番号を学習テーブルに格納する。
【００８４】
従って、ヘッド・オフィス加入者線終端装置がブランチ・オフィス側の端末装置に送信する時には、宛先ＭＡＣアドレスを学習済の時には、宛先ＭＡＣアドレスによってＰＯＮ下り宛先識別子及び送信先となるポートの番号を抽出でき、ＰＯＮ下り宛先識別子をＡＴＭセルに設定して回線終端装置宛にＡＴＭセルを送信することができる。
【００８５】
一方、ヘッド・オフィス加入者線終端装置が宛先ＭＡＣアドレスを未学習の時及び同報モードの時には、特定のＰＯＮ下り宛先識別子を設定して回線終端装置宛にＡＴＭセルを送信することができる。この際、ＡＴＭセルを回線終端装置だけに送信すればよいので、ＡＴＭ交換網上で帯域を無駄に使用することがない。ヘッド・オフィス加入者線終端装置からのＡＴＭセルを受けた回線終端装置は、ＰＯＮ下り宛先識別子が特定の値でない時には、ＰＯＮ下り宛先識別子をキーとして端末側ＶＰＩ／ＶＣＩ格納部から送信すべきブランチ・オフィス加入者線終端装置のＶＰＩ／ＶＣＩを抽出して、受信したＡＴＭセルを送信すべきブランチ・オフィス加入者線終端装置宛に送信することができる。
【００８６】
一方、ＰＯＮ下り宛先識別子が特定の値である時には、特定のＰＯＮ下り宛先識別子対応のＶＰＩ／ＶＣＩを設定して配下のブランチ・オフィス加入者線終端装置にＡＴＭセルを送信することができる。
従って、シングルキャスト・モードの時にも、同報モードの時にも、ＡＴＭ交換網上の帯域を無駄に使用せずにヘッド・オフィスとブランチ・オフィスの間の通信を行なうことができる。
【００８７】
最後に、図１では１つのヘッド・オフィスに収容される全てのブランチ・オフィスが１つの回線終端装置に収容しうる場合を示しているが、１つのヘッド・オフィスに収容される全てのブランチ・オフィスが１つの回線終端装置に収容しきれない場合がある。これは、ブランチ・オフィスの数が多くて、ＰＯＮの仕様を満たすことができない場合である。
【００８８】
この場合には、同報モードや未学習の時には、ヘッド・オフィス加入者線終端装置はＡＴＭ交換網の複数のパスを仕様して複数の回線終端装置にＡＴＭセルを送信しなければならないが、それでも、ＡＴＭ交換網上の帯域を効率よく使用できることには変わりがない。
【００８９】
【発明の効果】
以上詳述した如く、本発明により、ＡＴＭ網を介してヘッド・オフィスと該ヘッド・オフィスにスター状に収容される複数のブランチ・オフィスを接続し、該ヘッド・オフィス又は該ブランチ・オフィスに配置されている端末装置間でＭＡＣフレームを一旦ＡＴＭセルに変換して伝送するスター・ネットワーク接続システムに関し、伝送されるＭＡＣフレームが同報フレームの場合や、伝送先のＭＡＣアドレスが未学習である場合に、ＡＴＭ網上の帯域を効率よく使用することができるスター・ネットワーク接続システムを実現することができる。
【００９０】
即ち、第一の発明によれば、ヘッド・オフィスの各々の端末をヘッド・オフィス加入者線終端装置に収容し、該ヘッド・オフィス加入者線終端装置ＡＴＭ網に収容し、複数のブランチ・オフィスの各々の端末をブランチ・オフィス毎に加入者線終端装置に収容し、該加入者線終端装置をＰＯＮを介して回線終端装置に収容し、該回線終端装置を該ＡＴＭ網に収容するので、ヘッド・オフィス側の加入者線終端装置から複数のブランチ・オフィス側の加入者線終端装置を見た時に、ヘッド・オフィス側からは単一の回線終端装置が見えるだけであるので、複数のブランチ・オフィスに設置されている端末装置に同報モードで伝送する場合にも、ヘッド・オフィス側で特定のブランチ・オフィスの特定の端末装置のＭＡＣアドレスを学習していない場合にも、転送すべきＭＡＣフレームを単一の回線終端装置にだけ転送すればよく、ＡＴＭ交換網上の帯域を効率よく使用することができる。
【００９１】
又、第二の発明によれば、回線終端装置が、ブランチ・オフィス加入者線終端装置から受信したＡＴＭセル中のＶＰＩ／ＶＣＩを端末側ＶＰＩ／ＶＣＩ格納部に格納すると共に、該端末側ＶＰＩ／ＶＣＩ格納部への格納位置を割り出して上記ＰＯＮ下り宛先識別子としてパディングした上で受信したＡＴＭセルをＡＴＭ交換網に対して送信するので、ヘッド・オフィス加入者線終端装置においてＰＯＮ下り宛先識別子と、送信元ＭＡＣアドレスと、受信ポートによって学習テーブルを作成することができ、ＡＴＭ交換網からＡＴＭセルを受信した時には、受信したＰＯＮ下り宛先識別子をキーとして宛先のＶＰＩ／ＶＣＩを求めることができる。
【００９２】
又、第三の発明によれば、ヘッド・オフィス加入者線終端装置が、ＡＴＭ交換網から受信したＡＴＭセルから回線終端装置がパディングしたＰＯＮ下り宛先識別子と、送信元ＭＡＣアドレスと、受信ポートによって学習テーブルを作成しておくので、ヘッド・オフィス内の端末装置から受信したＭＡＣフレーム内のＭＡＣアドレスをキーに該学習テーブルに格納されているＰＯＮ下り宛先識別子を抽出し、該ＰＯＮ下り宛先識別子をパディングしてＡＴＭセルをＡＴＭ交換網に対して送信することができる。
【００９３】
又、第四の発明によれば、ヘッド・オフィス加入者線終端装置が、同報モード又は宛先ＭＡＣアドレスを未学習の時には、ＰＯＮ下り宛先識別子及びＶＰＩ／ＶＣＩとして特定の値を設定して回線終端装置宛に下りＡＴＭセルを送信するので、同報モード又は宛先ＭＡＣアドレスを未学習の時にもＡＴＭ交換網上の帯域を無駄に使用することがない。
【００９４】
更に、第五の発明によれば、回線終端装置が、ＰＯＮ下り宛先識別子が特定の値である時には、特定のＰＯＮ下り宛先識別子対応のＶＰＩ／ＶＣＩを設定してＡＴＭセルをＰＯＮに送信するので、配下の全てのブランチ・オフィス加入者線終端装置にＡＴＭセルを送信することができる。
【図面の簡単な説明】
【図１】  本発明のスター・ネットワーク接続システムの構成。
【図２】  ブランチ・オフィス加入者線終端装置の構成。
【図３】  本発明の回線終端装置の構成。
【図４】  本発明のヘッド・オフィス加入者線終端装置の構成。
【図５】  端末側ＶＰＩ／ＶＣＩ格納部の格納内容。
【図６】  学習テーブルの例。
【図７】  ブランチ・オフィス加入者線終端装置の上りＭＡＣフレームの処理。
【図８】  回線終端装置の上りＡＴＭセルの処理。
【図９】  ヘッド・オフィス加入者線終端装置の上りＡＴＭセルの処理。
【図１０】  ヘッド・オフィス加入者線終端装置の下りＭＡＣフレームの処理。
【図１１】  回線終端装置の下りＡＴＭセルの処理。
【図１２】  ブランチ・オフィス加入者線終端装置の下りＡＴＭセルの処理。
【図１３】  ＭＡＣフレームとＡＴＭセルの関係を示す図。
【図１４】  従来のスター・ネットワーク接続システムの構成（その１）。
【図１５】  従来のスター・ネットワーク接続システムの構成（その２）。
【符号の説明】
１、１ａ、１ｂ  端末装置
２  ヘッド・オフィス加入者線終端装置
２−１  ＡＴＭセル受信部
２−２  受信可ＶＰＩ／ＶＣＩ格納部
２−３  フィルタリング処理部
２−４  ＭＡＣフレーム抽出部
２−５  学習テーブル
２−６  ＭＡＣフレーム送信部
２−７  ＭＡＣフレーム受信部
２−８  ＡＡＬ５フレーム作成部
２−９  ＡＴＭセル編集部
２−１０  ＡＴＭセル送信部
３  ＡＴＭ交換網
３−１、３−２、３−３、３−４、３−５  ＡＴＭ交換機
４  回線終端装置
４−１  ＡＴＭセル受信部
４−２  端末側ＶＰＩ／ＶＣＩ抽出部
４−３  端末側ＶＰＩ／ＶＣＩ格納部
４−４  ＡＴＭ側ＶＰＩ／ＶＣＩ格納部
４−５  ＡＴＭセル編集部
４−６  ＡＴＭセル送信部
４−７  ＡＴＭセル受信部
４−８  端末側ＶＰＩ／ＶＣＩ決定部
４−９  セル・ヘッダ設定部
４−１０  ＡＴＭセル送信部
５  ＰＯＮインタフェース
６、６ａ、６ｂ  分岐装置
７、７ａ、７ｂ  ＰＯＮインタフェース
８、８ａ、８ｂ  ブランチ・オフィス加入者線終端装置
８−１  ＭＡＣフレーム受信部
８−２  ＡＡＬ５フレーム作成部
８−３  ＰＯＮ側ＶＰＩ／ＶＣＩ格納部
８−４  ＡＴＭセル編集部
８−５  ＡＴＭセル送信部
８−６  ＡＴＭセル受信部
８−７  受信可ＶＰＩ／ＶＣＩ格納部
８−８  フィルタリング処理部
８−９  ＭＡＣフレーム抽出部
８−１０  ＭＡＣフレーム送信部
９、９ａ、９ｂ  端末装置
【図１】
0003896819.tif 000002
【図２】
0003896819.tif 000003
【図３】
0003896819.tif 000004
【図４】
0003896819.tif 000005
【図５】
0003896819.tif 000006
【図６】
0003896819.tif 000007
【図７】
0003896819.tif 000008
【図８】
0003896819.tif 000009
【図９】
0003896819.tif 000010
【図１０】
0003896819.tif 000011
【図１１】
0003896819.tif 000012
【図１２】
0003896819.tif 000013
【図１３】
0003896819.tif 000014
【図１４】
0003896819.tif 000015
【図１５】
0003896819.tif 000016